(57)【要約】      （修正有）【課題】枠体に対して収納完了位置とした引出体の収納状態が保持されて、引出体の良好な収納状態が得られ、枠体に対する引出体の出し入れを極めて円滑に行うことができ、構造が簡易且つ確実に実現できる収納構造体を提供する。【解決手段】枠体１内に引出体２を出し入れ収納自在に設けた収納構造体であって、枠体１に対する引出体２の押し込み方向への移動及び引き出し方向への移動の際、引出体２の引出下面部を摺動する枠体隆起状部４ｂを、引出体２を支承する枠体１の引出支承部の前端部に設けるとともに、引出支承部を摺動する引出隆起状部５ｂを引出下面部の後端部に設け、枠体１に対する引出体２の押し込み方向への移動の際、引出体２の重みにより枠体隆起状部４ｂが係合する引出凹状部４ａを引出下面部の前端部に設けた。【選択図】図１２
2014128541.tif 000002
【特許請求の範囲】
【請求項１】
枠体内に引出体を出し入れ収納自在に設けた収納構造体であって、前記枠体に対する前記引出体の押し込み方向への移動及び引き出し方向への移動の際、前記引出体の引出下面部を摺動する枠体隆起状部を、前記引出体を支承する前記枠体の引出支承部の前端部に設けるとともに、前記引出支承部を摺動する引出隆起状部を前記引出下面部の後端部に設け、前記枠体に対する前記引出体の押し込み方向への移動の際、前記引出体の重みにより前記枠体隆起状部が係合する引出凹状部を前記引出下面部の前端部に設け、この引出凹状部に、前記枠体隆起状部が係合した後に水平方向に摺動することを許容する水平状部を設けて、前記引出凹状部を前記枠体隆起状部が摺動することで前記枠体に対して前記引出体を収納完了位置まで移動するように構成するとともに、収納完了位置の前記引出体を水平方向へ引き出すことで前記枠体隆起状部から前記引出凹状部が乗り上げ係脱するように構成し、前記引出体の押し込み方向への移動に際して前記引出凹状部を前記枠体隆起状部が摺動する際、前記引出隆起状部が落ち込んで戻り係止される係止部を前記引出支承部に設けて、収納完了位置の前記引出体の戻り移動を抑制し得るように構成し、前記引出体の引き出し方向への移動に際して、前記枠体隆起状部から前記引出凹状部が係脱することに伴って前記引出体の前端部が上昇する際、この引出体の前端部が前記枠体に干渉しない位置まで前記引出体が水平方向に引き出し移動しているように前記引出凹状部及び前記枠体隆起状部の形状を設定するとともに、前記引出隆起状部が前記係止部を乗り上がることに伴って前記引出体の後端部が上昇する際、この引出体の後端部が前記枠体に干渉せずに戻り係止が解除するように前記係止部及び前記引出隆起状部の形状を設定したことを特徴とする収納構造体。
【請求項２】
前記係止部を、前記引出体の押し込み方向への移動に際して前記引出隆起状部が乗り上がった後に落ち込んで戻り係止される凸状とし、前記引出凹状部と前記枠体隆起状部とが係合する際に生じる係合力が、前記引出隆起状部が前記係止部を乗り上がる際の助力となるように構成したことを特徴とする請求項１記載の収納構造体。
【請求項３】
前記引出体の押し込み方向への移動に際して、前記引出凹状部と前記枠体隆起状部とが係合することによる係合力が生じた後、前記係止部に前記引出隆起状部が落ち込むことによる落ち込み力が生じる構成とし、前記引出凹状部と前記枠体隆起状部とが係合する際に生じる係合力と、前記係止部に前記引出隆起状部が落ち込む際に生じる落ち込み力は、前記引出体の押し込み方向への移動に際して重複若しくは連続して生じるように構成したことを特徴とする請求項１，２のいずれか１項に記載の収納構造体。
【請求項４】
前記引出体の押し込み方向への移動に際して前記引出凹状部を前記枠体隆起状部が摺動する際、前記係止部に対する前記引出隆起状部の落ち込み力が生じるように構成したことを特徴とする請求項１〜３のいずれか１項に記載の収納構造体。
【請求項５】
前記引出体の押し込み方向への移動の際、前記引出隆起状部が落ち込み摺動する枠体傾斜状部を前記引出支承部の後端部に設け、この枠体傾斜状部に前記係止部を設けたことを特徴とする請求項１〜４のいずれか１項に記載の収納構造体。
【請求項６】
前記引出体の押し込み方向への移動の際、前記引出隆起状部が前記枠体傾斜状部を落ち込み摺動した後、前記引出凹状部と前記枠体隆起状部とが係合することによる係合力が生じるように構成したことを特徴とする請求項５記載の収納構造体。
【請求項７】
前記引出体の押し込み方向への移動に際して、前記引出凹状部と前記枠体隆起状部とが係合することによる係合力が生じた後、前記係止部に前記引出隆起状部が落ち込むことによる落ち込み力が生じる構成とし、前記引出凹状部と前記枠体隆起状部とが係合する際に生じる係合力と、前記係止部に前記引出隆起状部が落ち込む際に生じる落ち込み力は、前記引出体の押し込み方向への移動に際して重複若しくは連続して生じるように構成したことを特徴とする請求項５，６のいずれか１項に記載の収納構造体。
【請求項８】
前記枠体に対して前記引出体を収納完了位置とした際、前記引出隆起状部が戻り係止される傾斜状部を前記係止部に設け、前記枠体傾斜状部よりも前記傾斜状部を急勾配に設定したことを特徴とする請求項５〜７のいずれか１項に記載の収納構造体。
【請求項９】
前記枠体は、前記引出体を出し入れする正面開口部を有し、前記枠体に対して前記引出体を収納完了位置とした際、前記引出体の正面部の上端部を近接状態で覆う覆い部を前記正面開口部に設けたことを特徴とする請求項１〜８のいずれか１項に記載の収納構造体。
【請求項１０】
前記水平状部に前記枠体隆起状部に設けた凹部に係合する凸部を設けたことを特徴とする請求項１〜９のいずれか１項に記載の収納構造体。
【発明の詳細な説明】
【技術分野】
【０００１】
本発明は、例えば収納ケースやタンスなどの収納構造体に関するものである。
【背景技術】
【０００２】
本願出願人は、特開２０１０−２６８８６０号に開示される収納構造体（以下、従来例）を提案している。
【０００３】
この従来例は、図32，33に図示したように枠体31内に引出体32を出し入れ収納自在に設けた収納構造体であって、枠体31に対する引出体32の押し込み移動及び引き出し移動の際、引出体32の引出下面部32ａを摺動する枠体隆起状部34ｂを、引出体32を支承する枠体31の引出支承部31ａの前端部に設けるとともに、引出支承部31ａを摺動する引出隆起状部35ｂを引出下面部32ａの後端部に設け、枠体31に対する引出体32の押し込み移動の際、引出体32の重みにより枠体隆起状部34ｂが係合する引出凹状部34ａを引出下面部32ａの前端部に設けるとともに、引出隆起状部35ｂが落ち込み動する枠体凹状部35ａを引出支承部31ａの後端部に設けたものであり、枠体31に対する引出体32の収納状態を保持する引出体保持機構を具備している。
【０００４】
従って、従来例は、この引出体保持機構を具備することにより、枠体に対する引出体の収納状態を保持することができ、例えば地震等による振動が加わった場合にも、不意に引出体が前端に飛び出して枠体から落下するなどの問題を防止することができ、また、枠体に対して引出体が完全に収納状態となる直前では自然に（自動的に）引出体が吸い込まれるように収納されることになり、ユーザーに引出体がしっかりと収納されたという安心感を与えることができる。
【先行技術文献】
【特許文献】
【０００５】
【特許文献１】特開２０１０−２６８８６０号公報
【発明の概要】
【発明が解決しようとする課題】
【０００６】
本出願人は、前述した引出体の保持機構を具備したタイプの収納構造体について更なる研究開発を進めた結果、極めて商品価値の高い画期的な収納構造体を開発した。
【課題を解決するための手段】
【０００７】
添付図面を参照して本発明の要旨を説明する。
【０００８】
枠体１内に引出体２を出し入れ収納自在に設けた収納構造体であって、前記枠体１に対する前記引出体２の押し込み方向への移動及び引き出し方向への移動の際、前記引出体２の引出下面部２ａを摺動する枠体隆起状部４ｂを、前記引出体２を支承する前記枠体１の引出支承部１ａの前端部に設けるとともに、前記引出支承部１ａを摺動する引出隆起状部５ｂを前記引出下面部２ａの後端部に設け、前記枠体１に対する前記引出体２の押し込み方向への移動の際、前記引出体２の重みにより前記枠体隆起状部４ｂが係合する引出凹状部４ａを前記引出下面部２ａの前端部に設け、この引出凹状部４ａに、前記枠体隆起状部４ｂが係合した後に水平方向に摺動することを許容する水平状部４ａ”を設けて、前記引出凹状部４ａを前記枠体隆起状部４ｂが摺動することで前記枠体１に対して前記引出体２を収納完了位置まで移動するように構成するとともに、収納完了位置の前記引出体２を水平方向へ引き出すことで前記枠体隆起状部４ｂから前記引出凹状部４ａが乗り上げ係脱するように構成し、前記引出体２の押し込み方向への移動に際して前記引出凹状部４ａを前記枠体隆起状部４ｂが摺動する際、前記引出隆起状部５ｂが落ち込んで戻り係止される係止部３を前記引出支承部１ａに設けて、収納完了位置の前記引出体２の戻り移動を抑制し得るように構成し、前記引出体２の引き出し方向への移動に際して、前記枠体隆起状部４ｂから前記引出凹状部４ａが係脱することに伴って前記引出体２の前端部が上昇する際、この引出体２の前端部が前記枠体１に干渉しない位置まで前記引出体２が水平方向に引き出し移動しているように前記引出凹状部４ａ及び前記枠体隆起状部４ｂの形状を設定するとともに、前記引出隆起状部５ｂが前記係止部３を乗り上がることに伴って前記引出体２の後端部が上昇する際、この引出体２の後端部が前記枠体１に干渉せずに戻り係止が解除するように前記係止部３及び前記引出隆起状部５ｂの形状を設定したことを特徴とする収納構造体に係るものである。
【０００９】
また、前記係止部３を、前記引出体２の押し込み方向への移動に際して前記引出隆起状部５ｂが乗り上がった後に落ち込んで戻り係止される凸状とし、前記引出凹状部４ａと前記枠体隆起状部４ｂとが係合する際に生じる係合力が、前記引出隆起状部５ｂが前記係止部３を乗り上がる際の助力となるように構成したことを特徴とする請求項１記載の収納構造体に係るものである。
【００１０】
また、前記引出体２の押し込み方向への移動に際して、前記引出凹状部４ａと前記枠体隆起状部４ｂとが係合することによる係合力が生じた後、前記係止部３に前記引出隆起状部５ｂが落ち込むことによる落ち込み力が生じる構成とし、前記引出凹状部４ａと前記枠体隆起状部４ｂとが係合する際に生じる係合力と、前記係止部３に前記引出隆起状部５ｂが落ち込む際に生じる落ち込み力は、前記引出体２の押し込み方向への移動に際して重複若しくは連続して生じるように構成したことを特徴とする請求項１，２のいずれか１項に記載の収納構造体に係るものである。
【００１１】
また、前記引出体２の押し込み方向への移動に際して前記引出凹状部４ａを前記枠体隆起状部４ｂが摺動する際、前記係止部３に対する前記引出隆起状部５ｂの落ち込み力が生じるように構成したことを特徴とする請求項１〜３のいずれか１項に記載の収納構造体に係るものである。
【００１２】
また、前記引出体２の押し込み方向への移動の際、前記引出隆起状部５ｂが落ち込み摺動する枠体傾斜状部５ａ’を前記引出支承部１ａの後端部に設け、この枠体傾斜状部５ａ’に前記係止部３を設けたことを特徴とする請求項１〜４のいずれか１項に記載の収納構造体に係るものである。
【００１３】
また、前記引出体２の押し込み方向への移動の際、前記引出隆起状部５ｂが前記枠体傾斜状部５ａ’を落ち込み摺動した後、前記引出凹状部４ａと前記枠体隆起状部４ｂとが係合することによる係合力が生じるように構成したことを特徴とする請求項５記載の収納構造体に係るものである。
【００１４】
また、前記引出体２の押し込み方向への移動に際して、前記引出凹状部４ａと前記枠体隆起状部４ｂとが係合することによる係合力が生じた後、前記係止部３に前記引出隆起状部５ｂが落ち込むことによる落ち込み力が生じる構成とし、前記引出凹状部４ａと前記枠体隆起状部４ｂとが係合する際に生じる係合力と、前記係止部３に前記引出隆起状部５ｂが落ち込む際に生じる落ち込み力は、前記引出体２の押し込み方向への移動に際して重複若しくは連続して生じるように構成したことを特徴とする請求項５，６のいずれか１項に記載の収納構造体に係るものである。
【００１５】
また、前記枠体１に対して前記引出体２を収納完了位置とした際、前記引出隆起状部５ｂが戻り係止される傾斜状部３ａを前記係止部３に設け、前記枠体傾斜状部５ａ’よりも前記傾斜状部３ａを急勾配に設定したことを特徴とする請求項５〜７のいずれか１項に記載の収納構造体に係るものである。
【００１６】
また、前記枠体１は、前記引出体２を出し入れする正面開口部１’を有し、前記枠体１に対して前記引出体２を収納完了位置とした際、前記引出体２の正面部２Ａの上端部を近接状態で覆う覆い部１Ａ’を前記正面開口部１’に設けたことを特徴とする請求項１〜８のいずれか１項に記載の収納構造体に係るものである。
【００１７】
また、前記水平状部４ａ”に前記枠体隆起状部４ｂに設けた凹部６に係合する凸部７を設けたことを特徴とする請求項１〜９のいずれか１項に記載の収納構造体に係るものである。
【発明の効果】
【００１８】
本発明は上述のように構成したから、枠体に対して収納完了位置とした引出体の収納状態が保持されて、引出体の良好な収納状態が得られ、また、枠体に対する引出体の出し入れを極めて円滑に行うことができ、しかも、前述した良好な作用効果を発揮する構造が簡易且つ確実に実現できることになるなど極めて商品価値の高い画期的な収納構造体となる。
【００１９】
また、請求項２〜７記載の発明においては、引出体の押し込み方向への移動が極めて円滑に行われることになるなど、極めて商品価値の高い画期的な収納構造体となる。
【００２０】
また、請求項８記載の発明においては、前述した秀れた作用効果を発揮する構造が簡易に達成されることになるなど、極めて商品価値の高い画期的な収納構造体となる。
【００２１】
また、請求項９記載の発明においては、ユーザーが求める高品位な商品が簡易且つ確実に得られることになるなど、極めて商品価値の高い画期的な収納構造体となる。
【００２２】
また、請求項１０記載の発明においては、枠体に対する引出体の保持機能がより一層確実に機能することになるなど、極めて商品価値の高い画期的な収納構造体となる。
【図面の簡単な説明】
【００２３】
【図１】実施例１を示す斜視図である。
【図２】実施例１の使用状態説明図である。
【図３】実施例１の要部を示す斜視図である。
【図４】実施例１の要部を示す斜視図である。
【図５】実施例１の要部を示す平面図である。
【図６】実施例１の要部を示す底面図である。
【図７】実施例１の要部を示す側断面図である。
【図８】実施例１の要部を示す部分拡大断面図である。
【図９】実施例１の要部を示す部分拡大断面図である。
【図１０】実施例１の要部の別例を示す部分拡大断面図である。
【図１１】実施例１の動作説明図である。
【図１２】実施例１の概略動作説明図である。
【図１３】実施例１の概略動作説明図である。
【図１４】実施例１の概略動作説明図である。
【図１５】実施例１の概略動作説明図である。
【図１６】実施例１の概略動作説明図である。
【図１７】その他の構成例を説明する側断面図である。
【図１８】その他の構成例を説明する側断面図である。
【図１９】その他の構成例を説明する側断面図である。
【図２０】その他の構成例を説明する側断面図である。
【図２１】実施例２を示す斜視図である。
【図２２】実施例２の使用状態説明図である。
【図２３】実施例２の要部を示す斜視図である。
【図２４】実施例２の動作説明図である。
【図２５】実施例２の動作説明図である。
【図２６】実施例２の動作説明図である。
【図２７】実施例２の動作説明図である。
【図２８】実施例２の動作説明図である。
【図２９】実施例２の動作説明図である。
【図３０】実施例２の動作説明図である。
【図３１】実施例２の動作説明図である。
【図３２】従来例を説明する側断面図である。
【図３３】従来例の概略動作説明図である。
【発明を実施するための形態】
【００２４】
好適と考える本発明の実施形態（発明をどのように実施するか）を、図面に基づいて本発明の作用を示して簡単に説明する。
【００２５】
枠体１に対して引き出された状態の引出体２を押し込み方向に移動させると、引出体２の重みにより枠体隆起状部４ｂが引出凹状部４ａに係合して、枠体１に対する引出体２の収納状態が保持される。
【００２６】
本発明は、枠体隆起状部４ｂを引出支承部１ａの前端部に設けるとともに、引出凹状部４ａを引出下面部２ａの前端部に設けた構成であり、この凹凸係合する感触が引出体２を押し込み操作する部位の近くで且つ枠体１に対して引出体２を収納するタイミングで行われるため、枠体１に対して引出体２がしっかりと収納されたという安心感が得られる。
【００２７】
また、本発明は、引出体２の押し込み方向への移動及び引き出し方向への移動に際し、枠体１に設けられた枠体隆起状部４ｂが引出体２の引出下面部２ａを摺動するとともに、引出体２に設けられた引出隆起状部５ｂが枠体１の引出支承部１ａを摺動する。
【００２８】
即ち、引出体２は、例えば押し込み方向への移動及び引き出し方向への移動に際して前後位置で隆起状部で支承された状態で摺動するという、枠体１に対する引出体２の接触面積が可及的に少ない構造であるから、引き出し開始時から引き出された状態までの間の引き出し方向への移動、並びに引き出された状態から収納が完了した状態までの押し込み方向への移動が極めて滑らかに行われることになる。
【００２９】
また、本発明は、単に枠体１と引出体２同士間の前後位置に隆起状部を設けたのではなく、この各隆起状部を最適な位置に設けており、前述した作用効果を発揮する構造を現実化している。
【００３０】
即ち、例えば引出体の引出下面部の前端部及び後端部に隆起状部を設けた場合、枠体に対して収納完了位置の引出体を引き出した際、引出下面部の前端部に設けた隆起状部が枠体（被摺動部）から脱落して引出体が水平状態でない傾いた状態となってしまい、良好な移動が行われなくなる。
【００３１】
この点、本発明は、各隆起状部を最適な位置に設けることで前述した問題が生じることなく、常に良好な摺動が行われる状態が得られ、しかも、各隆起状部を前後に離れた位置に設けることで枠体１に対する引出体２の長いストロークでの押し込み操作及び引き出し操作において良好な摺動を確保することができる。
【００３２】
ところで、本発明は、この収納構造体について単に収納できれば良いという訳でなく、デザイン性や機能性を向上したいなどの要求が増える中、例えば引出体42の正面部42Ａが枠体41の正面開口部41’に収納される構造、即ち、図17に図示したように枠体41に引出体42を完全に収納した際、引出体42の正面部42Ａの上端部を近接状態で覆う覆い部41Ａ’が正面開口部41’に設けられたタイプの収納構造体も人気がある。
【００３３】
しかしながら、このタイプの場合、前述した枠体隆起状部44ｂを枠体41の前端部に設けるとともに、この枠体隆起状部44ｂが係合する引出凹状部44ａを引出体42の前端部に設けた構造を具備すると、枠体41に対する引出体42の引き出し開始時に引出体42の前端部が上昇（図17中矢印ａ方向に移動）し、引出体42の正面部42Ａの上端部が正面開口部41’の覆い部41Ａ’に干渉して引出すことができない（図17中の二点鎖線の状態参照）。
【００３４】
この問題を回避すべく、枠体41と引出体42との間に、引出凹状部44ａに対する枠体隆起状部44ｂの係合が解除されて上昇するだけのクリアランスを設けることとした場合、これが、枠体41の大型化の要因となったり、この枠体41に対して引出体42を収納した際に生じる枠体41と収納体42との隙間が生じて体裁が悪くなってしまう問題が生じる。
【００３５】
そこで、本発明者はこの問題点に着目し、鋭意研究することで、図18〜20に図示したように引出凹状部44ａに、枠体隆起状部44ｂが係合した後に水平方向に摺動することを許容する水平状部44ａ”を設けて、引出凹状部44ａを枠体隆起状部44ｂが摺動することで枠体41に対して引出体42を収納完了位置まで移動するように構成するとともに、収納完了位置の引出体42を水平方向へ引き出すことで枠体隆起状部44ｂから引出凹状部44ａが乗り上げ係脱する構成、即ち、引出体42の引き出し方向への移動に際して、枠体隆起状部44ｂから引出凹状部44ａが係脱することに伴って引出体42の前端部が上昇する際、この引出体42の前端部が枠体41に干渉しない位置まで引出体42が水平方向に引き出し移動しているように引出凹状部44ａ及び枠体隆起状部44ｂの形状を設定したから、前述した引出体42が干渉して引出せないという問題を解消することができた。
【００３６】
ただ、この引出凹状部44ａに対して枠体隆起状部44ｂが水平方向へ移動するという遊びができた分、例えば枠体41に対して引出体42を押し込み移動させて収納させた際、その勢いで引出体42がバウンドして戻ってきて枠体41からはみ出てしまうという現象（図19の状態）が起きる場合があることが判明した。
【００３７】
そこで、本発明は、引出体２の押し込み方向への移動に際して引出凹状部４ａを枠体隆起状部４ｂが摺動する際、引出隆起状部５ｂが落ち込んで戻り係止される係止部３を引出支承部１ａに設けて、収納完了位置の引出体２の戻り移動を抑制し得るように構成しており、この構成から前述した引出体２が収納時にバウンドする現象を防止することができる。
【００３８】
ちなみに、本発明は、引出隆起状部５ｂが係止部３を乗り上がることに伴って引出体２の後端部が上昇する際、この引出体２の後端部が枠体１に干渉せずに戻り係止が解除するように係止部３及び引出隆起状部５ｂの形状を設定しており、この点においても何ら支障なく枠体１に対する引出体２の良好な引き出しが行われることになる。
【００３９】
以上のように、本発明は、前述した構成を具備することで、枠体１に対する引出体２の収納状態が保持されて、しかも、体裁の良い収納状態が得られるなど、引出体２の良好な収納状態が得られることになった。
【実施例１】
【００４０】
本発明の具体的な実施例１について図１〜16に基づいて説明する。
【００４１】
本実施例は、枠体１内に引出体２を出し入れ収納自在に設けた収納構造体であって、枠体１に対する引出体２の押し込み方向への移動及び引き出し方向への移動の際、引出体２の引出下面部２ａを摺動する枠体隆起状部４ｂを、引出体２を支承する枠体１の引出支承部１ａの前端部に設けるとともに、引出支承部１ａを摺動する引出隆起状部５ｂを引出下面部２ａの後端部に設けたものである。
【００４２】
尚、本実施例では、収納構造体として収納ケースを採用したが、例えばタンスや机の引出構造でも良いなど本実施例の特性を発揮する構成であれば適宜採用し得るものである。
【００４３】
以下、本実施例に係る構成各部について詳細な説明をする。
【００４４】
枠体１は、図１〜３に図示したように適宜な合成樹脂製の部材で成形したものであり、夫々方形状の天部１Ａ，底部１Ｂ，左側部１Ｃ，右側部１Ｄ及び背部１Ｅとから成り、方形状の正面開口部１’を有するケース状体である。尚、本実施例では一段の枠体１に一つの引出体２を収納する構造としたが、複数段に構成された枠体１に複数の引出体２を収納する構造としても良く、また、この枠体を構成する各部（天部１Ａ，底部１Ｂ，左側部１Ｃ，右側部１Ｄ及び背部１Ｅ）は板状でなく棒材から成るフレーム構造でも良い。
【００４５】
また、枠体１は、正面開口部１’から後述する引出体２を差し込み収納し得るように構成されており、この枠体１に対して引出体２を完全に収納状態（収納完了位置）とした際、引出体２の正面部２Ａの上端部を近接状態で覆う覆い部１Ａ’を正面開口部１’に設けている。
【００４６】
また、枠体１を構成する底部１Ｂの上面は、引出体２を支承する支承上面としての引出支承部１ａに設定されている。
【００４７】
この引出支承部１ａは、図３，５に図示したように前端部の左右位置に一対の枠体隆起状部４ｂが設けられ、この枠体隆起状部４ｂは後述する引出体２の引出下面部２ａの前端部左右位置に設けられる引出凹状部４ａとともに、枠体１に対する引出体２の収納状態を保持する第一保持機構４を構成する。
【００４８】
また、各枠体隆起状部４ｂは、図３，７，８に図示したように引出支承部１ａの表面に突出状（突起状）に一体成形されており、枠体１の長さ方向に長さを有し、上面の頂点から後方になだらかに湾曲する山状体である。尚、枠体隆起状部４ｂは引出支承部１ａを構成するパーツ（部位）と別パーツとしても良く、また、隆起状とは周囲と段違いとなっている状態の部位（凸所となる部位）を示すものである。
【００４９】
また、各枠体隆起状部４ｂは、後述する引出体２の引出下面部２ａに設けられる第一被摺動部２ａ’に対して点接触する形状に設定されている。尚、本発明で言う点接触とは接触する被接触面に比して可及的に面積の少ない部位（面，点若しくは線）で接触する状態を言う。
【００５０】
また、枠体隆起状部４ｂは、図５に図示したように引出支承部１ａにして後述する引出体２の引出下面部２ａに設けられる引出隆起状部５ｂが摺動する第二被摺動部１ａ’上でない外側方へずれた位置（避けた位置）に設けられている。
【００５１】
従って、枠体隆起状部４ｂは、引出隆起状部５ｂと互いに摺動方向において同一直線上には設けられておらず、よって、枠体１に対して引出体２を取り外し及び差し込みする際、互いに干渉することがない。
【００５２】
第二被摺動部１ａ’は、図５に図示したように左右の枠体隆起状部４ｂ夫々の内側方に位置する引出支承部１ａの支承上面（図５中の斜線表示領域）で構成され、引出体２の引き出し操作及び押し込み操作に際して後述する引出体２の引出隆起状部５ｂが直線摺動するように構成されている。尚、第二被摺動部１ａ’に滑面処理を行っても良い。
【００５３】
また、左右の第二被摺動部１ａ’夫々の先端は正面開口部まで連続し、基端部（後端部）には第二被摺動部１ａ’を摺動した引出隆起状部５ｂが落ち込み動する枠体凹状部５ａが設けられており、この枠体凹状部５ａは、引出隆起状部５ｂとともに、枠体１に対する引出体２の収納状態を保持する第二保持機構５を構成する。
【００５４】
また、枠体凹状部５ａは、図７，９に図示したように引出支承部１ａの後端部左右位置の表面を所定形状に凹設して構成されており、後端側の最底部５ａ”から前端側へ向けて所定勾配に形成されるスロープ状の枠体傾斜状部５ａ’を斜設して構成されている。
【００５５】
この枠体凹状部５ａの深さは、引出体２の円滑な出し入れの要素となる引出隆起状部５ｂとの落ち込み力の関係から設定され、枠体傾斜状部５ａ’の勾配は、引出隆起状部５ｂとの落ち込み力の関係は勿論、引出体２の落ち込み作用（吸い込み力）との関係から設定され、枠体傾斜状部５ａ’の長さは、枠体１に対する引出体２の押し込み方向への移動の際、第二保持機構５が第一保持機構４よりも先に落ち込み作用が先に生じるように設定されている。
【００５６】
また、本実施例は、引出体２を押し込み方向に移動させて後述する引出凹状部４ａの水平状部４ａ”に対して枠体隆起状部４ｂを摺動させた際、引出隆起状部５ｂが落ち込んで戻り係止される係止部３を引出支承部１ａに設けて、収納完了位置の引出体２の戻り移動を抑制し得るように構成されている。
【００５７】
具体的には、枠体１に対する引出体２の押し込み方向への移動の際、引出隆起状部５ｂが落ち込み摺動する枠体凹状部５ａを引出支承部１ａの後端部に設け、この枠体凹状部５ａの枠体傾斜状部５ａ’の途中位置（後方）に凸状の係止部３を設けており、引出体２を押し込み方向に移動させて枠体１に対して収納完了位置とした際、引出隆起状部５ｂが乗り上がった後に落ち込んで戻り係止状態となる傾斜状部３ａを係止部３に設けている。
【００５８】
また、本実施例では、枠体傾斜状部５ａ’よりも傾斜状部３ａを急勾配に設定している。尚、本実施例では、係止部３を枠体傾斜状部５ａの途中位置（後方）に凸部を設けて構成しているが、引出隆起状部５ｂが落ち込む凹部を設けて構成しても良い。
【００５９】
また、本実施例は、引出体２の引き出し方向への移動に際して、引出隆起状部５ｂが係止部３を乗り上がることに伴って引出体２の後端部が上昇する（図13中の矢印ｂ方向へ移動）際、この引出体２の後端部が枠体１に干渉せずに戻り係止が解除するように係止部３及び引出隆起状部５ｂの形状（高さや巾）が設定されている。尚、この引出体２の後端部が枠体１に干渉せず戻り係止が解除される構成は、係止部３及び引出隆起状部５ｂの形状によって達成されることの他に、引出体２と枠体１夫々の形状によっても達成される。
【００６０】
引出体２は、図１，２，４に図示したように適宜な合成樹脂製の部材で一体成形したものであり、夫々方形板状の正面部２Ａ，底面部２Ｂ，左側面部２Ｃ，右側面部２Ｄ及び背面部２Ｅとから成り、方形状の上方開口部を有する箱状体である。
【００６１】
また、引出体２は、図１，２に図示したように枠体１の正面開口部１’から差し込み収納し得るように構成されており、引出体２を構成する底面部２Ｂの下面は、枠体１の引出支承部１ａに支承される引出下面部２ａに設定されている。
【００６２】
この引出下面部２ａは、図４に図示したように左右側縁部に突条部２ａ”が突設されており、この突条部２ａ”にして左右の引出隆起状部５ｂ夫々の外側方に位置にリブ２ａ’を長さ方向に突設して、枠体１の枠体隆起状部４ｂが直線摺動する第一被摺動部２ａ’としている。尚、第一被摺動部２ａ’に滑面処理を行っても良い。
【００６３】
また、左右の第一被摺動部２ａ’夫々の前端部には、引出体２の重みにより枠体隆起状部４ｂが係合する引出凹状部４ａが凹設されている。
【００６４】
この引出凹状部４ａは、図４に図示したように引出下面部２ａの前端部左右位置にして前述した突条部２ａ”の前端部を凹設して構成されており、前端側の水平状部４ａ”から後端側へ向けて所定勾配に円弧状に傾斜する引出傾斜状部４ａ’を形成して構成されている。
【００６５】
具体的には、この引出凹状部４ａには、枠体隆起状部４ｂが係合した後に水平方向に摺動することを許容する水平状部４ａ”が設けられ、引出凹状部４ａを枠体隆起状部４ｂが摺動することで枠体１に対して引出体２を収納完了位置まで移動するとともに、収納完了位置の引出体２を引き出し開始時に水平方向へ引き出して引出凹状部４ａを枠体隆起状部４ｂが摺動した後に枠体隆起状部４ｂから引出凹状部４ａが乗り上げ係脱するように構成されている。
【００６６】
また、本実施例は、引出体２の引き出し方向への移動に際して、枠体隆起状部４ｂから引出凹状部４ａが係脱することに伴って引出体２の前端部が上昇する際、この引出体２の前端部が枠体１に干渉しない位置まで引出体２が水平方向に引き出し移動しているように引出凹状部４ａ及び枠体隆起状部４ｂの形状が設定されている。尚、水平状部４ａ”とは若干傾斜することも含み、引出傾斜状部４’よりも水平状態に近い部位までを含む意味である。
【００６７】
また、水平状部４ａ”には、枠体隆起状部４ｂに設けた凹部６に係合する凸部７が設けられている。
【００６８】
従って、この凹凸係合によっても枠体１に対して完全に収納した状態（収納完了位置）の引出体２を保持することができる。
【００６９】
また、引出凹状部４ａの深さは、引出体２の円滑な出し入れの要素となる枠体隆起状部４ｂの係合力の関係から設定され、引出傾斜状部４ａ’の勾配は、枠体隆起状部４ｂとの係合力の関係は勿論、引出体２の係合作用（吸い込み力）との関係から設定され、引出傾斜状部４ａ’の長さは、枠体１に対する引出体２の押し込み方向への移動の際、第二保持機構５が第一保持機構４よりも先に落ち込み作用が先に生じるように設定されている。
【００７０】
引出隆起状部５ｂは、図４，６に図示したように引出下面部２ａの表面に突出状（突起状）に一体成形されており、引出体２の長さ方向に長さを有し、上面の頂点から前端になだらかに湾曲となる山状体である。尚、引出隆起状部５ｂは引出下面部２ａを構成するパーツと別パーツとしても良く、また、隆起状とは周囲と段違いとなっている状態の部位（凸所となる部位）を示すものである。
【００７１】
また、引出隆起状部５ｂは、枠体１の引出支承部１ａに設けられる第二被摺動部１ａ’に対して点接触する形状に設定されている。
【００７２】
また、引出隆起状部５ｂは、引出下面部２ａにして枠体１の引出支承部１ａに設けられる枠体隆起状部４ｂが摺動する第一被摺動部２ａ’上でない内側方へずれた位置（避けた位置）に設けられている。
【００７３】
従って、引出隆起状部５ｂは、枠体隆起状部４ｂと互いに摺動方向において同一直線上には設けられておらず、よって、枠体１に対して引出体２を取り外し及び差し込みする際、互いに干渉することがない。
【００７４】
図10は、引出隆起状部５ｂの外側方に片状の突出部５ｂ’が設けられており、この突出部５ｂ’には外方から内側に向かって下り傾斜する傾斜縁が形成されている。
【００７５】
この突出部５ｂ’は、特に引出体２を押し込み方向へ移動させた際に発生する、枠体１の引出支承部１ａに設けられる第二被摺動部１ａ’からの脱線を防止、或いは、脱線しても直ちに元の正常な位置に戻すようにするためのものである。更に、突出部は引出隆起状部５ｂの補強リブとしても機能する。
【００７６】
尚、本実施例では、第一保持機構４及び第二保持機構５を構成する各隆起状部及び各凹状部の数は左右一対並設した構成としているが、左右方向に長さを有する一つもの（凸条）でも、左右方向に三つ以上並設した構成としても良く、本実施例の特性を発揮する構成であれば適宜採用し得るものである。
【００７７】
以上の構成から成る本実施例に係る収納構造体の動作について説明する。
【００７８】
図11に図示したように第一保持機構４及び第二保持機構５による保持作用（凹状部に対する隆起状部の落ち込み作用）が解除された状態（枠体１に対して引出体２が引き出された状態）での、引き出し操作及び押し込み操作に際しては、引出体２は４点支持状態で水平状態に摺動する。
【００７９】
具体的には、枠体１（引出支承部１ａ）における左右の枠体隆起状部４ｂは、引出体２（引出下面部２ａ）における左右の第一被摺動部２ａ’を点接触で摺動し、一方、引出体２（引出下面部２ａ）における左右の引出隆起状部５ｂは、枠体１（引出支承部１ａ）における左右の第二被摺動部１ａ’を点接触で摺動する。
【００８０】
従って、極めて円滑な引き出し操作及び押し込み操作が行えることになる。
【００８１】
次に、枠体１に対して収納した状態（収納完了位置）の引出体２を引き出し方向に移動させる際に、枠体隆起状部４ｂから引出凹状部４ａが係脱することに伴って引出体２の前端部が上昇する際、この引出体２の前端部が枠体１に干渉しない位置まで引出体２が水平方向に引き出し移動しているとともに、引出突状部５ｂが係止部３を乗り上がることに伴って引出体２の後端部が上昇する際、この引出体２の後端部が枠体１に干渉せずに戻り係止が解除する（図12〜16参照）。
【００８２】
次に、前述した枠体１に対して引出体２を引き出された状態から押し込み操作して収納する際、第二保持機構５が第一保持機構４よりも先に落ち込み作用が生じる。
【００８３】
具体的には、第一保持機構４に係る枠体隆起状部４ｂが引出凹状部４ａの引出傾斜状部４ａ’に到達するよりも前に、第二保持機構５に係る引出隆起状部５ｂは枠体凹状部５ａの枠体傾斜状部５ａ’に到達して落ち込み摺動を開始する。このことから、その後は軽い押し込み力で引出体２の押し込み操作がより一層楽に行えることになる。
【００８４】
そして更に、押し込み操作を続けると、枠体隆起状部４ｂが引出凹状部４ａの引出傾斜状部４ａ’に到達して係合力が生じる。
【００８５】
この枠体隆起状部４ｂが係合を開始した時点から、押し込み力が無しでも或いは弱くても自然に引出体２が枠体１に吸い込まれるように摺動し、枠体隆起状部４ｂが係止部３を乗り上がった後に落ち込むとともに、引出隆起状部５ｂは枠体凹状部５ａの水平状部４ａ”を水平方向に摺動し、枠体１に対する収納体２の収納が完了し、枠体１に対する引出体２の収納状態が保持される。この第一保持機構４及び第二保持機構５により、例えば地震等による振動が加わった場合にも、不意に引出体２が前端に飛び出して枠体１から落下することが可及的に防止され、更に、引出隆起状部５ｂが係止部３に落ち込んで戻り係止されることで、収納完了位置の引出体２の戻り移動を抑制され、よって、引出体２が収納操作時にバウンドする現象や振動により引き出し方向への移動することを防止することができる。
【００８６】
本実施例は上述のように構成したから、枠体１に対する引出体２の収納状態が保持されて、引出体２の良好な収納状態が得られ、また、枠体１に対する引出体２の出し入れを極めて円滑に行うことができる。
【実施例２】
【００８７】
本発明の具体的な実施例２について図21〜31に基づいて説明する。
【００８８】
本実施例は、別タイプの枠体隆起状部４ｂを設けている。
【００８９】
具体的には、図21〜31に図示したように各枠体隆起状部４ｂは、引出支承部１ａの表面に一体成形されており、枠体１の引出支承部１ａに設けられる第二被摺動部１ａ’の先端部に隆起する部位であり、枠体１の長さ方向に長さを有し、第二被摺動部１ａ’の先端に連続する傾斜状部４ｂ’と、この傾斜状部４ｂ’から正面開口部１’まで連続する平坦状部４ｂ”とで構成されている。尚、枠体隆起状部４ｂは引出支承部１ａを構成するパーツ（部位）と別パーツとしても良く、また、隆起状とは周囲と段違いとなっている状態の部位（凸所となる部位）を示すものである。
【００９０】
また、各枠体隆起状部４ｂは、後述する引出体２の引出下面部２ａに設けられる第一被摺動部２ａ’に対して点接触する形状に設定されている。尚、本発明で言う点接触とは接触する被接触面に比して面積の少ない部位（面，点若しくは線）で接触する状態を言う。
【００９１】
その余は実施例１と同様のものである。
【００９２】
次に、実施例１及び実施例２に共通して発揮される引出体２の押し込み方向への移動の際に生じる円滑な移動について説明する。
【００９３】
即ち、前述したように引出体２の押し込み方向への移動の際、引出隆起状部５ｂが落ち込み摺動する枠体傾斜状部５ａ’を引出支承部１ａの後端部に設けており、この枠体傾斜状部５ａ’に係止部３を設けている。
【００９４】
また、引出体２の押し込み方向への移動の際、引出隆起状部５ｂが枠体傾斜状部５ａ’を落ち込み摺動した後（図24，25参照）、引出凹状部４ａと枠体隆起状部４ｂとが係合することによる係合力が生じるように構成している。即ち、引出隆起状部５ｂ，枠体傾斜状部５ａ’，引出凹状部４ａ及び枠体隆起状部４ｂの位置や形状を前述した作用が発揮されるように適宜設定している。
【００９５】
また、この引出凹状部４ａと枠体隆起状部４ｂとが係合する際に生じる係合力が、引出隆起状部５ｂが前記係止部３を乗り上がる際の助力となるように構成している（図26〜29参照）。即ち、引出凹状部４ａ，枠体隆起状部４ｂ，引出隆起状部５ｂ及び係止部３の位置や形状を前述した作用が発揮されるように適宜設定している。
【００９６】
また、引出体２の押し込み方向への移動に際して、引出凹状部４ａと枠体隆起状部４ｂとが係合することによる係合力が生じた後、係止部３に引出隆起状部５ｂが落ち込むことによる落ち込み力が生じる構成とし、この引出凹状部４ａと枠体隆起状部４ｂとが係合する際に生じる係合力と、係止部３に引出隆起状部５ｂが落ち込む際に生じる落ち込み力は、引出体２の押し込み方向への移動に際して連続して生じるように構成している（図29，30参照）。即ち、引出凹状部４ａ，枠体隆起状部４ｂ，係止部３及び引出隆起状部５ｂの位置や形状を前述した作用が発揮されるように適宜設定している。尚、この係合力と落ち込み力とは重複して生じるようにしても良い。
【００９７】
また、引出体２の押し込み方向への移動に際して引出凹状部４ａを枠体隆起状部４ｂが摺動する際、係止部３に対する引出隆起状部５ｂの落ち込み力が生じるように構成している（図30，31参照）。即ち、引出凹状部４ａ，枠体隆起状部４ｂ，係止部３及び引出隆起状部５ｂの位置や形状を前述した作用が発揮されるように適宜設定している。
【００９８】
以上のように、引出体２の押し込み方向への移動に際して、引出隆起状部５ｂが枠体傾斜状部５ａ’を落ち込み摺動する際に生じる落ち込み力と、引出凹状部４ａと枠体隆起状部４ｂとが係合する際に生じる係合力と、係止部３に引出隆起状部５ｂが落ち込む際に生じる落ち込み力が良好に機能して引出体２の円滑な移動が行われることになる。
【００９９】
尚、本発明は、実施例１及び実施例２に限られるものではなく、各構成要件の具体的構成は適宜設計し得るものである。
【符号の説明】
【０１００】
１  枠体
１ａ  引出支承部
１’  正面開口部
１Ａ’  覆い部
２  引出体
２ａ  引出下面部
２Ａ  正面部
３  係止部
３ａ  傾斜状部
４ａ  引出凹状部
４ａ”  水平状部
４ｂ  枠体隆起状部
５ａ’  枠体傾斜状部
５ｂ  引出隆起状部
６  凹部
７  凸部
【図１】
2014128541.tif 000003
【図２】
2014128541.tif 000004
【図３】
2014128541.tif 000005
【図４】
2014128541.tif 000006
【図５】
2014128541.tif 000007
【図６】
2014128541.tif 000008
【図７】
2014128541.tif 000009
【図８】
2014128541.tif 000010
【図９】
2014128541.tif 000011
【図１０】
2014128541.tif 000012
【図１１】
2014128541.tif 000013
【図１２】
2014128541.tif 000014
【図１３】
2014128541.tif 000015
【図１４】
2014128541.tif 000016
【図１５】
2014128541.tif 000017
【図１６】
2014128541.tif 000018
【図１７】
2014128541.tif 000019
【図１８】
2014128541.tif 000020
【図１９】
2014128541.tif 000021
【図２０】
2014128541.tif 000022
【図２１】
2014128541.tif 000023
【図２２】
2014128541.tif 000024
【図２３】
2014128541.tif 000025
【図２４】
2014128541.tif 000026
【図２５】
2014128541.tif 000027
【図２６】
2014128541.tif 000028
【図２７】
2014128541.tif 000029
【図２８】
2014128541.tif 000030
【図２９】
2014128541.tif 000031
【図３０】
2014128541.tif 000032
【図３１】
2014128541.tif 000033
【図３２】
2014128541.tif 000034
【図３３】
2014128541.tif 000035